(57)【特許請求の範囲】
【請求項１】
基材の一方側11と他方側11′とを接続する重ね合せ継目部分10が、それぞれ形状の異なる底部14a、14bとして形成され、その一方の平坦状底部14aの下方に他方の樋溝状底部14bを重ね合せ、一方側の基材11と他方側の基材11′との間に隔離する空間Ｃを形成させた重ね合せ継目部分10の基材表面に、基材側を剥離可能としたシート状物19を装着し、該シート状物19上に防水層20を形成せしめてなる防水補強構造。
【請求項２】
基材が屋根用の波板であり、波板同志が重なり合って形成される継目部分を含み、その両側の波板傾斜面の途中迄シート状物が装着された請求項１記載の防水補強構造。
【請求項３】
基材側を剥離可能としたシート状物が防水成分を浸透させないクロスである請求項１記載の防水補強構造。
【請求項４】
基材側に仮止め用の接着剤が塗布されたシート状物が用いられた請求項１、２または３記載の防水補強構造。
【請求項５】
補強クロスを有する防水層を形成させた請求項１記載の防水補強構造。
【請求項６】
継目部分が横重ねまたは縦重ね基材から構成されている請求項１記載の防水補強構造。
【請求項７】
重ね合せ継目部分の一方側の基材と他方側の基材との間を隔離し、そこに形成された空間にバックアップ材を充填した請求項１記載の防水補強構造。
【請求項８】
波板同志の重ね合せ継目部分と各波板斜面部とによって形成される谷部空間に補修材を充填し、該補修材表面に基材側を剥離可能としたシート状物の装着および防水層の形成を行った請求項１記載の防水補強構造。
【請求項９】
波板と役物取合部の重ね合せ継目部分に適用された請求項１記載の防水補強構造。
【発明の詳細な説明】
【０００１】
【発明の属する技術分野】
本発明は、防水補強構造に関する。更に詳しくは、屋根用波板等の基材間の重ね合せ継目部分に形成される防水補強構造に関する。
【０００２】
【従来の技術】
屋根用波板の重ね合せ継目部分には、金属板、合成樹脂製等の波板の一方側斜面部から他方側斜面部にかけて、伸縮性を有する防水層が形成された補強構造がとられている。防水層は、一般に波板表面に防錆を兼ねたプライマー層、タール等よりなるある程度の厚さを有する中間層および耐候性樹脂製トップコート層からなっている。
【０００３】
しかるに、このような防水層が設けられている重ね合せ継目部分は、経時的な自然要因などによって防水層が疲労し、また基板の動きや熱的変形などに追随できないで破損や破断するに至り、防水機能を失わせる結果となる。
【０００４】
【発明が解決しようとする課題】
本発明の目的が、屋根用波板等の基板の重ね合せ継目部分（役物取合部分を含む）において、そこに設けられた伸縮性を有する防水層の疲労や基板の動き、熱的変形などに追随することができ、経時的にも防水機能を保持し得る補強構造を提供することにある。
【０００５】
【課題を解決するための手段】
かかる本発明の目的は、基材の一方側11と他方側11′とを接続する重ね合せ継目部分10が、それぞれ形状の異なる底部14a、14bとして形成され、その一方の平坦状底部14aの下方に他方の樋溝状底部14bを重ね合せ、一方側の基材11と他方側の基材11′との間に隔離する空間Ｃを形成させた重ね合せ継目部分10の基材表面に、基材側を剥離可能としたシート状物19を装着し、該シート状物19上に防水層20を形成せしめた防水補強構造によって達成される。
【０００６】
【発明の実施の形態】
基材としては、金属板、合成樹脂板、ゴム板、無機質板等の平板状、波板状のものなどが用いられ、これら基材の一方側と他方側、例えば平板同志、平板と波板、波板同志などを接続する重ね合せ継目部分に、前述の如き構成の防水層が形成される。なお、重ね合せ継目部分は、横重ねあるいは縦重ねのいずれであってもよい。
【０００７】
図１には、本発明に係る防水補強構造の一態様が、波板屋根の横重ね継目部分１０として示されている。横重ね継ぎされる一方側の波板１１と他方側の波板１１′は、それぞれ上部の頂部１２，１２′およびその両側の斜面部１３，１３′を有し、各斜面部１３，１３′の下部は、形状の異なる底部１４ａ，１４ｂとして形成されている。そして、一方の平坦状底部１４ａの下方に、他方の樋溝状底部１４ｂが重ね合されている。
【０００８】
このようにして構成されている重ね継目部分１０を含む波板斜面部１３，１３′間の波板表面には、防錆および接着を兼ねたプライマー層１５が下地処理され、この上にある程度の厚さで中間層１６が塗布処理され、この上に仕上げ層として弾性高分子物質製トップコート１７が施された防水層２０が形成されている。なお、中間層中には、補強クロス１８が埋め込まれていてもよい。
【０００９】
かかる構成をとる防水層を形成させるに当り、図２に示されるように、基材１１，１１′側を剥離可能としたシート状物１９が防水層下部に、各斜面部に少くとも約１０ｍｍ以上の長さで装着される。シート状物は、片面に剥離剤（シリコーン塗布、離型テープまたはマスキングテープ等の貼付などの手段による）を、また他面に接着剤を塗布したフィルムであってもよいが、目が詰まり、中間層成分を浸透させないクロスであってもよい。この場合、クロスを継目部分波板上に仮固定するために、糊等の接着性の弱い接着剤を基材側に面する方に部分的または全体的に塗布しておいてもよい。
【００１０】
なお、図３に示される如く、波形屋根の積重ね継目部分において、一方側の波板１１と他方側の波板１２との間を隔離し、そこにレベル調整用バックアップ材２１を充填したり、あるいは図４に示される如く、波板同志の積重ね継目部分と各波板斜面部が形成する空間に発泡補修材２２を充填し、その補修材表面に基材側を剥離可能としたシート状物１９の装着および防水層２０の形成を行うこともできる。
【００１１】
図５は、波板の縦重ね継目部分が示されており、波板３１，３１′が縦重ねされた部分に、これらの波板側を剥離可能としたシート状物１９が装着されており、その上に防水層２０が形成されている。
【００１２】
図６は、波板と役物取合部の重ね合せ継目部分に適用した態様を示しており、波板４１と役物４２との間に、これらの基材側を剥離可能としたシート状物１９が装着されており、その上に防水層２０が形成されている。
【００１３】
【作用】
および
【発明の効果】
本発明に係る防水補強構造においては、重ね合せ継目部分の基板表面は基材側面側の防水層と一体化されたシート状物との間が剥離可能とされているので、伸縮性を有する防水層が疲労や基板の動き、熱的変形などに遭遇しても、基板に固着されていないので、例えば図２に示されるように、各基板底部が矢印方向に変位することなどによって、各基材底部14a、14bが相対的に移動し、その結果シート状物の中央部が上位の底部14aの表面から離間して防水膜を持ち上げ、基板-防水層間に浮き上った空間Ｃを形成させるので、基板の動きに左右されることなく追随することができ、結果的に防水層の破損や破断を免がれ、経時的にも防水機能を保持させることができる。
【図面の簡単な説明】
【図１】本発明に係る防水補強構造の一態様の断面図である。
【図２】防水補強構造の要部断面図である。
【図３】バックアップ材を充填した態様の防水補強構造の断面図である。
【図４】補修材を充填した態様の防水補強構造の断面図である。
【図５】波板同志を縦重ねした態様の防水補強構造の斜視図である。
【図６】波板と役物取合部とを接続した継目部分の斜視図である。
【符号の説明】
１０          横重ね継目部分
１１，１２        波板
１３          波板斜面部
１４          波板底部
１５          プライマー層
１６          中間層
１７          トップコート
１８          補強クロス
１９          シート状物
２０          防水層
２１          バックアップ材
２２          補修材
３１，４１        波板
４２          役物
【図１】
0003617594.tif 000002
【図２】
0003617594.tif 000003
【図３】
0003617594.tif 000004
【図４】
0003617594.tif 000005
【図５】
0003617594.tif 000006
【図６】
0003617594.tif 000007